(57)【要約】【課題】  種々の肩のラインにも簡単に馴染んで合致し、オーダーメイドのような高価な衣服も型崩れの発生を可及的に防止できるようにするとともに、衣服を着用する時、そのコ−ディネートが簡単にできるようにした衣服用ハンガーを提供できるようにする。【解決手段】  左右の肩部の中間部分に吊持用フックを有する衣服用ハンガーにおいて、少なくとも吊持用フックが取り付けられる部分を、弾性を有する金属線で一筆書き状の環状にして緩衝部を形成した。【選択図】図１
2007190133.tif 000002
【特許請求の範囲】
【請求項１】
左右の肩部の中間部分に吊持用フックを有する衣服用ハンガーにおいて、少なくとも吊持用フックが取り付けられる部分を、弾性を有する金属線で一筆書き状の環状にして緩衝部を形成したことを特徴とする衣服用ハンガー。
【請求項２】
左右の肩部とその中間部分に形成される吊持用フックが取り付けられる環状部分とが弾力性を有する金属線で一体に形成されていることを特徴とする請求項１に記載の衣服用ハンガー。
【請求項３】
緩衝部が他のハンガーや付属小物を吊持する吊持環にしてあることを特徴とする請求項１または請求項２に記載の衣服用ハンガー。
【請求項４】
環状部分が角型若しくは楕円を含む円形に形成されていることを特徴とする請求項１乃至請求項３のいずれか１項に記載の衣服用ハンガー。
【請求項５】
環状の緩衝部が品質・サイズ・製造者・宣伝の少なくとも一つの表示部となっていることを特徴とする請求項１乃至請求項４のいずれか１項に記載の衣服用ハンガー。
【発明の詳細な説明】
【技術分野】
【０００１】
本発明は主として衣服類等を吊持する衣服用ハンガーに関するものである。
【背景技術】
【０００２】
この種の衣服用ハンガーとしては、ワイヤ等の線状部材を長円状に形成し、その中央部にフックを回転可能に設けるための取り付け部材を設け、この緩衝部材にフックを回転可能に装着したものがある。（例えば特許文献１）
【０００３】
ところが、こうした衣服用ハンガーでは中央の緩衝部材から左右の肩部分が緩やかな円弧を描くように曲成してあることから、当該衣服用ハンガーに衣服等を掛けた場合、上記左右の肩部分の円弧と服の肩のラインとが合致しないことが多く、そうした場合には衣服の形崩れが発生し易くなってしまうという問題があった。
こうした問題は、特にオーダーメイドのような個々の体型に合わせた高級品に、発生し易くなる。
【０００４】
また、衣服例えば上着等を着用する場合、これに付随するズボンやスカートの他に、スカーフやベルト等の付属小物が多く、従来ではこうしたものを別々に収納している。
したがって、衣服を着用する場合、上記小物等を改めてコーディネートしなおす必要があり、その選択に手間がかかってしまうという問題もあった。
【特許文献１】特開２０００−１４５１７号公報
【発明の開示】
【発明が解決しようとする課題】
【０００５】
そこで、本発明は上記問題点に鑑み提案されたもので、種々の肩のラインにも簡単に馴染んで合致し、オーダーメイドのような高価な衣服も型崩れの発生を可及的に防止できるようにするとともに、衣服を着用する時、そのコ−ディネートが簡単にできるようにした衣服用ハンガーを提供できるようにすることを目的とするものである。
【課題を解決するための手段】
【０００６】
上記目的を達成するために本発明に係る衣服用ハンガーは、左右の肩部の中間部分に吊持用フックを有する衣服用ハンガーにおいて、少なくとも吊持用フックが取り付けられる部分を、弾性を有する金属線で一筆書き状の環状にして緩衝部を形成したことを最も主要な特徴とするものである。
【０００７】
また、本発明にかかる衣服用ハンガーでは、左右の肩部とその中間部分に形成される吊持用フックが取り付けられる環状部分とが弾力性を有する金属線で一体に形成されていることや、緩衝部が他のハンガーや付属小物を吊持する吊持環にしてあること、環状部分が角型若しくは楕円を含む円形に形成されていること、更には環状の緩衝部が品質・サイズ・製造者・宣伝の少なくとも一つの表示部となっていることも特徴とするものである。
【発明の効果】
【０００８】
本発明の衣服用ハンガーによれば、吊持用フックが取り付けられる部分を、弾性を有する金属線で一筆書き状の環状にして緩衝部を形成してあるので、衣服用ハンガーに衣服を掛けて吊持用フックで当該ハンガーを吊持したとき、一筆書き状の環状に形成された緩衝部がその弾性により撓み、衣服の形状に馴染む。
これにより、衣服、例えば上着等の衣服を掛けた場合、上着の形崩れが発生するのを防止することができる。したがって、個々の体型に合わせたオーダーメイドのような高級品も大切に吊持することができる利点がある。
【０００９】
また、本発明にかかる衣服用ハンガーが、左右の肩部とその中間部分に形成される吊持用フックが取り付けられる環状の緩衝部とが弾力性を有する金属線で一体に形成されたものでは、左右の肩部と吊持用フックが取り付けられる環状部分とが相俟って弾力変形するので軽い衣服でも更に馴染みやすく、型崩れをから崩れの防止効果を向上させることができる利点がある。
【００１０】
加えて、環状の緩衝部が他のハンガーや付属小物を吊持する吊持環にしたものでは、この環状部分に他のハンガーを掛止させることにより上記形崩れの防止効果に加えて、上着だけでなくズボンもセットとして吊持できるとともに、付属小物を吊持する場合には、コーディネートしなおす必要がなく、至便なものとなる。
【００１１】
更に、環状の緩衝部を角型若しくは楕円を含む円形に形成したものでは形崩れの防止効果に加えて意匠感に富んだものにでき、その環状部を品質・サイズ・製造者・宣伝の少なくとも一つの表示部にしたものでは、その注目度を際立たせることができる利点もある。
【発明を実施するための最良の形態】
【００１２】
以下、本発明に係る衣服用ハンガーの望ましい実施の形態を図面に基づいて説明する。
図１は衣服用ハンガーの全体斜視図であって、図中符号１は衣服用ハンガーを全体的に示す。
尚、本発明にいう衣服用ハンガー１には、後述するように上着用のみならず衣紋掛けのような左右に直線状にしたもの、その直線状部分の先端寄り部分にクリップを取り付けたスカートやズボン用のハンガーを包含するものである。
【００１３】
本発明の衣服用ハンガー１は、ハンガー本体２と、ハンガー本体２の中央部に立設された吊持具３からなる吊持部４とを備えてなる。
上記ハンガー本体２は、鋼線等の弾性を有する金属製素材で、左右の肩部５・５と中央部分６を１段高く形成し、その左右部分は緩やかな円弧を描くように曲成するとともに、中央部６には環状に形成された緩衝部（吊持環）７を設けてある。
【００１４】
環状に形成される緩衝部７は、一方（左方）の肩部５から他方（右方）の肩部５にわたって一筆書き状に形成したもので、このように緩衝部７を一筆書き状の環状に形成すると、衣服の重みで左右の肩部５・５が撓むとき、当該環状の緩衝部７部分も左右の肩部５・５とともに撓んで衣服の形状にフィットし易くなる。
また、左右の肩部５・５の先端寄り部分は衣服の肩部５・５を受けるために略長円形に形成された肩受け部８が形成されており、この長円形の肩受け部８は予め長円形に形成し、これを溶接等により金属素材の先端部分に接合するようにしてあるが、ハンガー本体２の金属素材で一連に形成することもができる。
【００１５】
尚、この実施例では環状に形成される緩衝部７を円形に形成してあるが、これを図２に示すように三角形にしたり、図３の四角形にしたり、更にはその他の多角形や楕円形等に変更することもできる。
上記吊持具３は、環状に形成された上記緩衝部７に略円柱状に形成された回動支持部材９を溶接等により取り付け、この鉤型部材を回転可能に支持して構成されている。
【００１６】
上記のように形成された衣服用ハンガー１を使用する場合、ジャケットやコートあるいはセータ等の衣服をハンガー本体２に掛止し、衣服を掛止したハンガー本体２１を鉤型部材で図外のハンガーポール等に掛けて使用する。
斯くして、ハンガーポール等に掛けられた衣服用ハンガーは、衣服の重さで左右の肩部５・５が撓むとき、当該環状の緩衝部７も左右の肩部５・５とともに撓んで衣服の形状にフィットし易くなり、衣服の形状に良く馴染んで型崩れが防止される。
【００１７】
そして、ハンガーポール等に掛止された衣服用ハンガー１の環状に形成された緩衝部７は図４に示すように他のハンガー１ａの吊持具３を掛止する吊持環として、同形状の衣服用ハンガー１・１ａを上下に連結して吊持することができ、下方の衣服用ハンガー１ａにはワイシャツ等を掛止させておくことができる。
更に、図５に示すように上記下方の衣服用ハンガー１ｂを、両端にクリップを設けた直線型の衣紋掛けのような衣服用ハンガーにし、ここに上の衣服用ハンガー１に掛止された衣服に組み合わせるスカートやズボンを掛止すると、選択に迷うことがない。
【００１８】
尚、環状に形成された緩衝部７にネクタイやスカーフ等の小物を掛止させておくと更に至便なものにすることができる。
また、上記の実施の形態では環状に形成された緩衝部から肩部に至るまでを鋼線等の弾性を有する金属製素材で形成するようにしてあるが、こうしたものに限られず、肩部は木製や合成樹脂製にすることができるのは勿論のことである。
【００１９】
加えて、本発明の衣服用ハンガー１は、個人的な家庭での使用に限られず、衣服の製造者や販売点での使用も可能である。この場合、環状に形成された緩衝部７は図示は省略したが、製造者の表示、仕向け先の表示、サイズ表示、品質の表示等の表示部１１としてに利用することもできる
【図面の簡単な説明】
【００２０】
【図１】は本発明にかかるハンガーの斜視図である。
【図２】は本発明にかかるハンガーの緩衝部の変形例部分を示す斜視図である。
【図３】は本発明にかかるハンガーの緩衝部の更に別の変形例部分を示す斜視図である          。
【図４】は本発明にかかるハンガーの使用例の斜視図である。
【図５】は本発明にかかるハンガーの別の使用例を示す斜視図である。
【符号の説明】
【００２１】
１・・・ハンガー
２・・・ハンガー本体
３・・・吊持具
４・・・吊持部
５・・・肩部
６・・・中央部分
７・・・緩衝部
８・・・肩受け部
９・・・回動支持部材
１０・・・クリップ
１１・・・表示部
【図１】
2007190133.tif 000003
【図２】
2007190133.tif 000004
【図３】
2007190133.tif 000005
【図４】
2007190133.tif 000006
【図５】
2007190133.tif 000007